(57)【要約】【課題】就寝時に利用する暖房器具として、従来のあんかや櫓ごたつに替わる効果的なあんかを提供する。【解決手段】熱源（１）と反射板（２）と前面ガード（５）を備えた輻射式あんかであって、上面と上面前方とに形成された寝具止めカバー（４）を備え、底部はレール嵌合台（６）が、支持レール（７）に嵌合される。ベースプレート（９）に固着された継手パイプ（８ａ）へ、支持レール（７）に設けられたパイプ孔（８ｂ）によって嵌合することで、ベースプレート（９）と支持レール（７）とが摺動構造となり、敷布団やマットレスの厚さに適応することができる。これらにより、就寝時に布団の中において輻射式あんかの利用を可能とした。【選択図】図４
2019148367.tif 000002
【特許請求の範囲】
【請求項１】
熱源と反射板と前面ガードとを備える暖房器具であって、
該暖房器具は、上面と上面前方とに形成されたカバーを備え、
且つ底面となるレール嵌合台は、支持レールに嵌合されることで摺動可能とし、
該支持レールは、継手部によりベースプレートに結合され、
該継手部は、ベースプレートに固着された継手パイプと、支持レールに設けられたパイプ孔とを嵌合することで、支持レールとベースプレートとの間隔を可変可能とする輻射式あんか。
【請求項２】
熱源と反射板と前面ガードとを、カバー併用本体に備える暖房器具であって、該暖房器具を、据置き型ベースプレートに固着した輻射式あんか。
【発明の詳細な説明】
【技術分野】
【０００１】
本発明は、就寝時の暖房器具として利用される電気あんかに関する。
【背景技術】
【０００２】
就寝時の暖房器具として、こたつ、あんか、電気毛布等があり、こたつの小さな形状の櫓ごたつも利用されている。これらは個人の好みにより選択され、電気毛布も掛毛布と敷毛布とに分かれている。また、エアコンやファンヒーターにて室内を暖めるだけで、特に就寝時に暖房器具を利用しない者もいる。これらは環境（室温）に大きく作用され室温が低い場合は暖房器具は欠かすことができない。
【０００３】
特許文献１によると平板型のあんかにおいて低温火傷防止機能を付与した構造が開示されている。また特許文献２においては加熱ヒーターによる輻射暖房装置が記載されている。これは一般的な形状とも言える。
【０００４】
しかし、エアコン以外において様々な暖房器具が流通してきたものの、現在は灯油ファンヒーターと、電気による反射式ストーブが殆どを占めている。当然利便性も然る事ながら、価格も低価格であり、特に近年台頭してきたカーボンヒーターによる反射式は利便性の高さからも格安の製品といえる。
【０００５】
就寝時の暖房器具つまり布団の中で使用する暖房器具は毛布の利用が大半であり、少数ではあるがあんかの利用もされている。あんかといっても平板型と山型との２種類があり、夫々に利点もある。また湯たんぽも熱源が異なるものの、作用は同等といえ利点も夫々有している。
【先行技術文献】
【特許文献】
【０００６】
【特許文献１】特開２００５−２３０２８１号公報
【特許文献２】特開２００２−２０６７６３号公報
【発明の概要】
【発明が解決しようとする課題】
【０００７】
しかしあんかを利用するにしても、特許文献１による平板型あんかは、足の裏を直接暖めることはできずかかとの周りのみとなる。また山型あんかの場合は足の裏をあんかに触れ暖めることはできるものの、足の位置が変われば効果は得られない。これは平板型も同様であり、つまりあんかから足が離れた場合効果は激減することとなる。
【０００８】
電気毛布の利用時においても、個人によっては足元の暖まりが悪く、特に足の裏は冷えたままのため、あんかを併用する場合も多い。足の裏を暖める重要性は周知のことであり、日本古来の炬燵文化が物語っている。かと言って布団の中にこたつを据え置くこともままならず熱効率も良いものではない。そもそも暖房器具は一つの形態で全ての状況に適応できるものではなく、夫々に利点を有するものである。
【０００９】
そこで、就寝時に足元を暖めるための効果的な暖房器具を提供することを課題とする。
【課題を解決するための手段】
【００１０】
就寝時に足の裏を直接暖める場合、電気毛布では不可能とも言え、温度も低い。あんかの場合は足を触れた状態で維持しなければならず、温度も充分とは言えない。そこでカーボンヒーターと同様に反射板を利用して、足の裏を直接照射する。この輻射式あんかは足の位置が移動しても近い箇所であれば暖房効果が得られる。
【００１１】
ここで問題となるのが火災等の危険性を解消することである。まず輻射式あんかの形状としては、例えば幅２０ｃｍ程度であっても照射範囲の幅は５０ｃｍ程度となり充分な大きさと言える。高さはあまり低くても、布団に覆われてしまい効果的とは言えない。考えられるのは、小型の櫓ごたつに近い１５〜２５ｃｍ程度となる。
【００１２】
また布団と熱源（カーボンヒーター等）とが接触しない様に、上部をカバーで覆い、前面には金網等のガードを備えることが必要となる。
【００１３】
カーボンヒーターは、通常離れて利用するもので直近は温度が高く近くでは利用できない。しかし輻射式あんかの場合は直近で利用する形態であり、熱源も低い温度での利用が可能であり、つまり火災に至ることのない熱源を利用することも考えられる。また、転倒に対する構造とすることも重要であり、形態の項にて詳細を説明する。
【発明の効果】
【００１４】
この輻射式あんかを足元に備えることで、従来のあんかと比べ効果的であることは当然であり、むしろ得ることのできない効果が得られるものである。従来のあんかでの課題となる。足が器具より離れた場合において、輻射式では問題とならず、実際足を触れて利用するものではない。また触れないことで低温火傷も起きにくく、器具の温度を稍高く設定することができる。この輻射式によることで反射熱も含め広い範囲を暖めることができ、布団に入った時に足の周囲全体から暖かさを感じ取ることができる。特に足の裏が一番暖かい状況となる。
【００１５】
また、輻射式は即座に暖まることができ、つまり電源を入れすぐに布団に入ることができるものであり、従来のあんかや電気毛布の様に事前に電源を入れなければならないものではない。
【図面の簡単な説明】
【００１６】
【図１】本発明による輻射式あんかのレール型における正面図
【図２】本発明による輻射式あんかのレール型におけるＡ−Ａ´断面図
【図３】本発明による輻射式あんかのレール型における側面図
【図４】本発明による輻射式あんかのレール型における利用時での側面図
【図５】本発明による輻射式あんかのレール型における利用時での背面図
【図６】本発明による輻射式あんかのレール型における利用時での平面図
【図７】本発明による輻射式あんかの据置き型における正面図
【図８】本発明による輻射式あんかの据置き型における側面見取図
【図９】本発明による輻射式あんかの据置き型における平面見取図
【図１０】本発明による輻射式あんかのワイド型における平面見取図
【発明を実施するための形態】
【００１７】
形態について図１〜図１０を参照して詳しく説明すると、熱源（１）と反射板（２）とが本体（３）に固着され、寝具止めカバー（４）とガードメッシュ（５）が備えられる。これらを総じてあんかと称すると、このあんかがレール嵌合台（６）によって支持レール（７）へと嵌合され摺動可能となる。支持レール（７）は継手部、つまり継手パイプ（８ａ）によりベースプレート（９）へ連結される。
【００１８】
前記構成を、個別により更に詳しく説明すると、熱源（１）については限定されるものではなく、ハロゲンヒーター、カーボンヒーター、赤外線（遠赤外線）ヒーター等輻射効果の高い程適切といえる。特に近年主流ともいえるカーボンヒーターは重量も軽くコストも抑えられるため本発明による形態には最適と考えられる。反射板（２）については、熱源の大きさ、形状等に適合するものであり、従来技術を踏襲するといえる。
【００１９】
寝具止めカバー（４）の場合は、本発明が輻射式であることから、あんかと、利用者の足との間に寝具が介在しないことが重要であり、図３の寝具止めカバー（４）が示すように、前方へ長く張り出す必要がある。これは寝具が熱源に近づきすきない為の効果も得られる。また、寝具止めカバー（４）が上下への回動可能とすることで、様々な寝具にも対応しやすく、利用者の体格や好みに対応できるといえる。
【００２０】
ガードメッシュ（５）は周知のものであるが、埃の多い状況での利用を考え、着脱容易とし頻繁に掃除をすることが望まれる。また、足が触れた場合に熱くない素材にする等、熱に対する処理が必要となる。レール嵌合台（６）と支持レール（７）との摺動機能は周知技術である。この機能は身長差に対応するものであり、必須とも言える。支持レール（７）の上面、つまり足に触れる箇所は布等にて被覆することが好ましい。
【００２１】
継手部（８）は、ベースプレート（９）に継手パイプ（８ａ）が垂直に固着される。図６から判る様に継手パイプ（８ａ）と、支持レール（７）に設けられたパイプ孔（８ｂ）とは楕円形であり、支持レール（７）が上方より嵌合される。上方より嵌合することで、寝具の敷布団やマットレスの厚さに関わらず、敷布団の上に軽く密着した状態で設置される。また、継手パイプ（８ａ）とパイプ孔（８ｂ）とが楕円形であることにより、支持レール（７）つまり、あんか自体が左右へ移動しにくい状態であり、寝相によりベッドから落ちることも防ぐこととなる。
【００２２】
ベースプレート（９）は薄い形状であれば特に問題とはならず、設置する状況に対応することとなる。例えば布団であったり、マットレスであったり、床が畳であったり、ベッドの底板やネットであったり、形状の異なるベースプレート（９）で対応することも考えられる。
【００２３】
次の形態として、レールを使わない、つまり従来のあんか同様の据置き型として図７〜図９により説明すると、熱源（１）と反射板（２）とガードメッシュ（５）とをカバー併用本体（１０）に備え、据置き型ベースプレート（１１）に固着する。形状や大きさは限定されず自在に構成される。
【００２４】
しかし前記同様あんかの前方には適当な空間が必要であり、あんかの全面における高さは１５ｃｍから２５ｃｍ程度が適切と考えられる。またあんかの後方は図８により緩やかに傾斜する形が望ましい。これは例えばあんかの前方と後方とが２５ｃｍの同じ高さである場合、長身の利用者は布団の下方（爪先方向）にて、掛布団と敷布団との間に隙間が出来やすい状況である。よって図８の形状とする。
【００２５】
据置き型ベースプレートは、あんかが倒れないためのものであり、あんかの大きさや重さ等に準ずることとなる。また、肌に触れやすい上面は布等にて被覆することが好ましい。
【００２６】
次に、２人同時に利用する場合、例えばダブルベッドで２人があんかを利用する場合、また親子で同じ布団で寝る場合、この様な状況に対応する形態としてワイド型（図１０）を提供する。これは特に問題を抱えるものではなく、熱源（１）も特に大きくする必要もない。反射板（２）を凸状に湾曲させることで、やや広い空間へと照射可能となる。
【００２７】
最後に付属機能として、安全面から、あんかの傾斜時や転倒時は、現在利用されている電源が遮断される機能を具備し、スイッチにしても即熱（強）を利用する場合は、例えば３０分後に自動で中に戻ることが好ましい。また電源コードも特に固定する必要もなく従来のあんか同様がコストや利便性（移動）に秀れるといえる。また、火災予防の手段として、ガードメッシュ（５）の替わりに、透明の耐熱ガラスを利用し、熱源（１）と外部とを遮断することで、埃の進入を防ぎ寝具との接触もなく火災を防ぐことができると考えられる。
【符号の説明】
【００２８】
１    熱源
１ａ  カーボンヒーター
１ｂ  ハロゲンヒーター
２    反射板
３    本体
４    寝具止カバー
５    ガードメッシュ
６    レール嵌合台
７    支持レール
８    継手部
８ａ  継手パイプ
８ｂ  パイプ孔
９    ベースプレート
１０  カバー併用本体
１１  据置き型ベースプレート
１２  敷布団
１３  マットレス
【図１】
2019148367.tif 000003
【図２】
2019148367.tif 000004
【図３】
2019148367.tif 000005
【図４】
2019148367.tif 000006
【図５】
2019148367.tif 000007
【図６】
2019148367.tif 000008
【図７】
2019148367.tif 000009
【図８】
2019148367.tif 000010
【図９】
2019148367.tif 000011
【図１０】
2019148367.tif 000012